(57)【要約】【課題】  簡素で安価な構成により、作業性よく確実に建築用ボード同士を接合することのできる接合具が望まれている。【解決手段】  接合具１は、建築用ボード１８Ｃ，１８Ｄの突き合わせ面２１Ｃ，２１Ｄ間に装入される装入板部２と、装入板部２の後部から折り曲げられて延在する第１副え板部３と、装入板部２の後部から折り曲げられて延在する第２副え板部４と、装入板部２の前部から折り曲げられて延在する第３副え板部５と、装入板部２の前部から折り曲げられて延在する第４副え板部６とを具備してなるものである。装入板部２には、建築用ボード１８Ｃの突き合わせ面２１Ｃに刺し込まれる刺し込み爪７が設けられている。【選択図】      図５
2006241884.tif 000002
【特許請求の範囲】
【請求項１】
それぞれの突き合わせ面の前部に目地材充填用の面取り部が形成されている建築用ボード同士を接合する接合具であって、隣り合って突き合わされた建築用ボードの突き合わせ面間に装入される装入板部と、装入板部の後部から折り曲げられて延在し一方の建築用ボードの背面に副えられる第１副え板部と、装入板部の後部から折り曲げられて延在し他方の建築用ボードの背面に副えられる第２副え板部と、装入板部の前部から折り曲げられて延在し一方の建築用ボードの面取り部に副えられる第３副え板部と、装入板部の前部から折り曲げられて延在し他方の建築用ボードの面取り部に副えられる第４副え板部とを具備してなることを特徴とする建築用ボードの接合具。
【請求項２】
装入板部に、建築用ボードの突き合わせ面に刺し込まれる刺し込み爪を設けたことを特徴とする請求項１に記載の建築用ボードの接合具。
【発明の詳細な説明】
【技術分野】
【０００１】
本発明は、例えば家屋の壁や天井などに用いられる建築用ボード同士を接合する接合具に関するものである。
【背景技術】
【０００２】
一般に、家屋の壁構造としては図７に示すような構造が知られている。この壁構造は、柱１４に胴椽１６が横架固定され、胴椽１６の前面に建築用ボード１８Ｃ，１８Ｄが取付けられている。前記の建築用ボード１８Ｃ，１８Ｄでは、左右の側面が突き合わせ面２１Ｃ，２１Ｄとなっている。これらの建築用ボード１８Ｃ，１８Ｄはそれぞれの突き合わせ面２１Ｃ，２１Ｄが柱１４の直前位置に配置され互いに密接した状態で胴椽１６に取付けられている。各突き合わせ面２１Ｃ，２１Ｄの前部には、それぞれ面取り部２４Ｃ，２４Ｄが形成されており、これらの面取り部２４Ｃ，２４Ｄ間にパテ２３ａが充填されている。
【０００３】
一方で、図８に示すような壁構造も知られている。この壁構造では施工を容易にしコストを低減するために胴椽が省略され、建築用ボード１８Ｃ，１８Ｄ，１８Ｅが直に柱１４，１４に取付け固定されている。建築用ボード１８Ｃと建築用ボード１８Ｄの面取り部間、および、建築用ボード１８Ｄと建築用ボード１８Ｅの面取り部間にはそれぞれパテ２３ａが充填されている。建築用ボード１８Ｃ，１８Ｄ，１８Ｅの前面には壁クロスシート２５が貼設されている。
この壁構造の場合、建築用ボード１８Ｃ，１８Ｄ，１８Ｅの各突き合わせ面が密着しているために、充填されたパテ２３ａは面取り部間に留まっている。そのうち時間経過によりパテ２３ａが乾燥固化して脆くなり、建築用ボードに対する固着力が低下する。加えて、建築用ボード１８Ｄ，１８Ｅ間の接合部分は柱１４による背面からの支持がない。そのため、建築用ボード１８Ｄ，１８Ｅ間の接合部分近傍を居住者が広幅矢印２６のように押すと、建築用ボード１８Ｅが２点鎖線で示すように建築用ボード１８Ｄから遊離してしまう。このように建築用ボード１８Ｄ，１８Ｅが遊離すると、道路を車両が通行したり子供が飛び跳ねただけでも振動し、壁クロスシート２５に皺やひび割れを生じやすくなる。
そこで、下記の特許文献１のように、ホットメルト型接着剤層を介して建築用ボード同士の突き合わせ面を接着する構造が開発されている。
【０００４】
【特許文献１】特開２００１−３２２１０４号公報
【発明の開示】
【発明が解決しようとする課題】
【０００５】
ところが、前記のようにホットメルト型接着剤を用いて建築用ボード同士を接合する構造では、建築用ボードの突き合わせ面のほぼ全面にわたって未溶融のホットメルト型接着剤を緻密に装入しなければならない。また、突き合わせ面間のホットメルト型接着剤に対し十分な高周波が届くよう、大掛かりな高周波誘導加熱装置を、接合部分のボード表面で注意深く操作しなければならなかった。一方で、ホットメルト型接着剤はいったん硬化しても経時劣化により接着力が落ちていく。特に冬場は、ホットメルト型接着剤の接着力が著しく低下する。これにより、接着剤層が突き合わせ面から剥がれやすくなり、居住者が建築用ボードの接合部分を軽く押すだけで建築用ボード同士の突き合わせ面が位置ズレするという問題がある。
【０００６】
本発明は、上記した従来の問題点に鑑みてなされたものであって、簡素で安価な構成により、作業性よく確実に建築用ボード同士を接合することのできる接合具の提供を目的とする。
【課題を解決するための手段】
【０００７】
上記目的を達成するために、本発明に係る建築用ボードの接合具は、それぞれの突き合わせ面の前部に目地材充填用の面取り部が形成されている建築用ボード同士を接合する接合具であって、隣り合って突き合わされた建築用ボードの突き合わせ面間に装入される装入板部と、装入板部の後部から折り曲げられて延在し一方の建築用ボードの背面に副えられる第１副え板部と、装入板部の後部から折り曲げられて延在し他方の建築用ボードの背面に副えられる第２副え板部と、装入板部の前部から折り曲げられて延在し一方の建築用ボードの面取り部に副えられる第３副え板部と、装入板部の前部から折り曲げられて延在し他方の建築用ボードの面取り部に副えられる第４副え板部とを具備してなるものである。
【０００８】
また、前記構成において、装入板部に、建築用ボードの突き合わせ面に刺し込まれる刺し込み爪を設けたものである。
【発明の効果】
【０００９】
本発明に係る建築用ボードの接合具によれば、第１副え板部と第３副え板部により一方の建築用ボードの背面と面取り部を保持し、第２副え板部と第４副え板部により他方の建築用ボードの背面と面取り部を保持した状態で、互いの突き合わせ面が付き合わせる作業を行なうだけで、建築用ボード同士はそれぞれの前面や背面がほぼ面一になった状態でしっかりと高強度に保持される。従って、建築用ボードの突き合わせ面がボード厚み方向に位置ズレしない。加えて、建築用ボードの突き合わせ面間には、装入板部の存在により必然的に装入板部の厚み分の隙間が生じるので、面取り部間に充填された目地材は突き合わせ面間の隙間を通って建築用ボードの背面に達して固まる。従って、面取り部間から背面まで到達した目地材によるアンカー効果が加味されて、建築用ボード間の接合強度をよりいっそう大きくすることができる。
【００１０】
そして、装入板部に刺し込み爪を設けた場合は、建築用ボードの突き合わせ面に刺し込み爪が刺し込まれて保持されるので、手を離しても接合具が建築用ボードから落下しない。従って、両手を使って効率よく接合作業をすることができる。
【発明を実施するための最良の形態】
【００１１】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る建築用ボードの接合具を示す外観図、図２は前記接合具を示す図であって、（ａ）は正面図、（ｂ）は右側面図、（ｃ）は左側面図、（ｄ）は背面図、（ｅ）は平面図である。但し、図７、図８に示した従来の建築用ボードの接合構造と同一の構成要素には、同一の符号を付すとともにその詳細な説明を省略することがある。
【００１２】
各図において、この実施形態に係る接合具１は例えばブリキ板製であり、長尺板状に形成された装入板部２と、装入板部２後部の両端部からほぼ直角外向きに折り曲げられて延在する一対の第１副え板部３，３と、装入板部２後部の上下中央部分からほぼ直角で第１副え板部３とは反対方向外向きに折り曲げられて延在する第２副え板部４と、装入板部２前部の両端部から第１副え板部３側の斜め前方に折り曲げられて延在する一対の第３副え板部５，５と、装入板部２前部の上下中央部分から第２副え板部４側の斜め前方に折り曲げられて延在する第４副え板部６と、装入板部２に設けられた一対の刺し込み爪７，７とから成っている。この例において、刺し込み爪７は装入板部２を切り起こして形成されている。符号８は刺し込み爪７を切り起こした時に生じた切り起こし穴である。但し、刺し込み爪を切り起こし以外の構造で装入板部２に設けるようにしてもよい。この例において、装入板部２の長尺方向の寸法は例えば７０ｍｍである。但し、本発明の接合具は前記の寸法および形状に限られない。
【００１３】
図３は接合具１が採用される家屋の壁構造を示している。図中の符号、１０は土台、１１は根太、１２，１２は土台１０，１０に支持された柱、１３は柱１２，１２上に支持された梁である。根太１１と梁１３の間には、柱１４，１４と間柱１５，１５，・・・が架け渡されている。１６，１７は柱１４および間柱１５間に横架固定された胴椽である。この壁構造では、４枚の建築用ボード１８Ａ，１８Ｂ，１８Ｃ，１８Ｄが横並びに配置されている。これら建築用ボード１８Ａ，１８Ｂ，１８Ｃ，１８Ｄの上方位置には、４枚の小さな建築用ボード１９Ａ，１９Ｂ，１９Ｃ，１９Ｄが横並びに配置されている。これらの建築用ボード１８Ａ〜１８Ｄ，１９Ａ〜１９Ｄにおいて、左右に隣り合って突き合わされた建築用ボード同士は多数の接合具１，１，１，・・・を介して接合されている。前記の建築用ボード１８Ａ〜１８Ｄ，１９Ａ〜１９Ｄは左右の側面が突き合わせ面となっている。これら突き合わせ面の前部には、それぞれ目地材充填用の面取り部が突き合わせ面に対し例えば４５度傾斜して形成されている。
【００１４】
引続き、接合具１による建築用ボード１８Ｃ，１８Ｄの接合例を説明する。まず、接合具１を手で持ち、第１副え板部３，３を建築用ボード１８Ｃの背面に副える。次に、刺し込み爪７を突き合わせ面２１Ｃに刺し込んで装入板部２を突き合わせ面２１Ｃに密着させ、第３副え板部５，５を建築用ボード１８Ｃの面取り部２４Ｃに副える。これにより、接合具１が建築用ボード１８Ｃに掛止されるので、手を離しても接合具１が建築用ボード１８Ｃから落下しない。従って、両手を使って接合作業をすることができ、作業性が格段に向上する。
【００１５】
この状態で、建築用ボード１８Ｄを近づけて、その突き合わせ面２１Ｄを建築用ボード１８Ｃの突き合わせ面２１Ｃに合わせる。すると、接合具１の第２副え板部４が建築用ボード１８Ｄの背面に副えられ、第４副え板部６が建築用ボード１８Ｄの面取り部２４Ｄに副えられる。このように接合具１を介して突き合わせ面２１Ｃと突き合わせ面２１Ｄとを合わせる作業だけで、建築用ボード１８Ｃと建築用ボード１８Ｄの前面および背面がほぼ面一の状態になる。この場合、突き合わせ面２１Ｃ，２１Ｄ間に接合具１の装入板部２が装入されているので、突き合わせ面２１Ｃ，２１Ｄ間には少なくとも装入板部２の厚み（０．４ｍｍ程度）分の隙間２２が生じている。
【００１６】
そして、互いに合わされた建築用ボード１８Ｃおよび建築用ボード１８Ｄの面取り部２４Ｃ，２４Ｄ間の空間に、パテ（目地材の例）２３が充填される。また、建築用ボード１８Ｃおよび建築用ボード１８Ｄの接合部分の前面にもパテ２３が薄く塗布される。このとき、図６に示すように、パテ２３は突き合わせ面２１Ｃ，２１Ｄ間の隙間２２を通って背面に到達し、背面側の符号２３ｂで示す位置で固化してアンカーの役目を果たす。
【００１７】
以上詳述したように、本実施形態の接合具１では、第１副え板部３，３と第３副え板部５，５により一方の建築用ボード１８Ｃの背面と面取り部２４Ｃが保持され、第２副え板部４と第４副え板部６により他方の建築用ボード１８Ｄの背面と面取り部２４Ｄが保持された状態で、互いの突き合わせ面２１Ｃ，２１Ｄが付き合わされるので、建築用ボード１８Ｃ，１８Ｄ同士はそれぞれの前面や背面がほぼ面一になった状態でしっかりと高強度に接合される。従って、建築用ボード１８Ｃ，１８Ｄの突き合わせ面２１Ｃ，２１Ｄが前後方向（ボード厚み方向）に位置ズレしない。また、接着剤そのものおよび接着剤取り扱いの手間が省けることから、ボード接合作業が極めて楽になる。また、面取り部２４Ｃ，２４Ｄ間から隙間２２を通り背面に到達したパテ２３のアンカー効果により、建築用ボード１８Ｃ，１８Ｄ間の接合強度をよりいっそう大きくすることができる。
【００１８】
このように接合具１を用いたならば、建築用ボード同士の接合強度が大きくなることから、本来ならば１２ｍｍ厚の建築用ボードを用いなければならない場合でも、９．５ｍｍ厚の建築用ボードで代用できる。かかる９．５ｍｍ厚の建築用ボードは軽量なので、取り扱いが楽であり作業性がよくなる。無論、接合具１の各所寸法を大きくして１２ｍｍ厚の建築用ボードを用いるようにしても構わない。その場合は、壁構造の強度が大きくなる。
一方、建築用ボードが石膏ボードである場合はボード自体が燃焼せず廃棄処分できないのであるが、接合具１を用いた接合構造によれば、柱のない箇所であっても、接合具１およびパテ２３の存在により建築用ボード同士の接合が強固になるので、突き合わせ端面を柱１４の前方位置に合わせて切断しておく必要がなく、従って建築用ボードの切断作業が不要となり、建築用ボードの切れ端もほとんど生じない。
更に、接合具１は廉価な材料を用いて簡素な形状に形成されているため、入手が容易で安価に提供される。
【００１９】
尚、上記の実施形態では、刺し込み爪を第１副え板部３および第３副え板部５と同じ突出方向に設けた例を示したが、本発明はそれに限定されるものでない。例えば、第２副え板部４および第４副え板部６と同じ突出方向に設けても構わない。あるいは、刺し込み爪を省略した接合具を粘着テ−プなどで建築用ボードの突き合わせ面に仮付けして用いることも可能である。
【００２０】
また、上記では、第１副え板部および第３副え板部をそれぞれ２枚設け、第２副え板部および第４副え板部をそれぞれ１枚設けた例を示したが、本発明はそれに限定されず、第１、第３、第２、および第４副え板部の全てを同数、例えば１枚ずつ設けたものでも構わない。また、本発明の接合具はブリキ板以外の金属や合成樹脂を材料として形成することも可能である。
また、本発明により接合される建築用ボードとしては、壁に用いるもののみならず、天井に用いる建築用ボードにも適用できる。
【図面の簡単な説明】
【００２１】
【図１】本発明の一実施形態に係る建築用ボードの接合具を示す外観図である。
【図２】前記接合具を示す図であって、（ａ）は正面図、（ｂ）は右側面図、（ｃ）は左側面図、（ｄ）は背面図、（ｅ）は平面図である。
【図３】前記接合具を用いた建築用ボードの接合構造を示す正面図である。
【図４】（ａ）は図３における円Ａ内の一部破断した正面拡大図、（ｂ）は前記（ａ）の部分を背面からみた図である。
【図５】図３におけるＢ−Ｂ線矢視断面図である。
【図６】図５に対応した平断面図である。
【図７】従来の接合構造の一例を示す平断面図である。
【図８】従来の接合構造の別例を示す平断面図である。
【符号の説明】
【００２２】
１    接合具
２    装入板部
３    第１副え板部
４    第２副え板部
５    第３副え板部
６    第４副え板部
７    刺し込み爪
１８Ａ〜１８Ｄ  建築用ボード
１９Ａ〜１９Ｄ  建築用ボード
２１Ｃ，２１Ｄ  突き合わせ面
２２  隙間
２３，２３ｂ  パテ（目地材）
２４Ｃ，２４Ｄ  面取り部
【図１】
2006241884.tif 000003
【図２】
2006241884.tif 000004
【図３】
2006241884.tif 000005
【図４】
2006241884.tif 000006
【図５】
2006241884.tif 000007
【図６】
2006241884.tif 000008
【図７】
2006241884.tif 000009
【図８】
2006241884.tif 000010